(57)【特許請求の範囲】
【請求項１】
走行機体（１）の後部にトップリンク（１１）とロアリンク（１２）によってヒッチ部（２）を取り付けるとともに、走行機体（１）のＰＴＯ軸（３６）から動力伝達ジョイント（３５）を介して連結される動力伝達ケース（３７）を同じくヒッチ部（２）に設け、前記ヒッチ部（２）に設けたトップフック（１４）を、作業機（３）の上部連結ピン（１６）の位置に合わせ、ついでリフトアーム（６）を上動させて作業機（３）を吊り上げることにより、ヒッチ部（２）に設けた固定フックプレート（１９）の後方開放溝（１９ａ）に作業機（３）の下部連結ピン（２４）が係合し、またヒッチ部（２）に設けた回動フックプレート（２３）が上記下部連結ピン（２４）をロックし、さらにヒッチ部（２）の動力伝動ケース（３７）に作業機（３）の駆動入力軸（４３）が接続されるように構成する一方、防除用の作業機（３）のフレーム（３８）に防除用タンク（３９）と、駆動入力軸（４３）を有するポンプ（４２）を搭載すると共に、当該防除用タンク（３９）を平面視で前方に開放するコの字状に形成し、かつ防除用タンク中央部の下方部位を後方に切り欠いて、走行機体（１）の後部に連結されるトップリンク（１１）及びヒッチ部（２）の上部側が入り込む空間部に構成し、また、防除用タンク（３９）の下方となるヒッチ部（２）には、前記回動フックプレート（２３）に連結して作業機（３）の下部連結ピン（２４）のロックを解除する操作レバー（２７）を設け、以って、走行機体（１）の後部に防除用作業機（３）を、前記ヒッチ部（２）を介して着脱可能に装着することを特徴とする乗用管理機のヒッチ部構成。
【発明の詳細な説明】
【０００１】
【発明の属する技術分野】
本発明は、乗用管理機に防除用作業機を装着するためのヒッチ部構成に係わり、特に、防除用作業機の防除用タンクを運転座席後方の低い位置に配置できて、防除用タンクの低重心化と機体の走行安定化を図ることができる脱着操作の容易なヒッチ部構成に関するものである。
【０００２】
【従来の技術】
一般に、野菜の栽培等においては、作物を虫害から保護するため、乗用管理機に防除用作業機を装着して薬剤を散布する防除作業を行うのが望ましい。
【０００３】
ところで防除用作業機には薬剤を収容する防除用タンクが搭載されており、一方、ロータリ作業機等を走行機体に装着するための周知の３点ヒッチは、トップリンクに連結されるトップマストや作業機脱着用の操作レバー等が上方に大きく突出しているので、このような３点ヒッチによって防除用作業機を装着すると、防除用タンクがヒッチ部の上部側と干渉し、操作レバーの操作も阻害される惧れがある。一方、防除用タンクをヒッチ部の上方位置に配置したのでは、防除用タンクの重心位置が高くなって走行する機体が不安定な状態になるという問題があった。
【０００４】
【発明が解決しようとする課題】
本発明は上記のような実情に鑑み創作されたものであって、走行機体の後方にヒッチ部を介して防除用作業機を装着しても、防除用作業機に搭載した防除用タンクを、運転座席後方の低い位置に配置して、防除用タンクの低重心化と機体の走行安定化を図ることができ、しかも防除用タンクによって操作レバーの作業機脱着操作が阻害されることのない乗用管理機のヒッチ部構成を提供しょうとするものである。
【０００５】
【課題を解決するための手段】
上記の課題を解決するため、本発明が講じた技術的手段は、走行機体１の後部にトップリンク１１とロアリンク１２によってヒッチ部２を取り付けるとともに、走行機体１のＰＴＯ軸３６から動力伝達ジョイント３５を介して連結される動力伝達ケース３７を同じくヒッチ部２に設け、前記ヒッチ部２に設けたトップフック１４を、作業機３の上部連結ピン１６の位置に合わせ、ついでリフトアーム６を上動させて作業機３を吊り上げることにより、ヒッチ部２に設けた固定フックプレート１９の後方開放溝１９ａに作業機３の下部連結ピン２４が係合し、またヒッチ部２に設けた回動フックプレート２３が上記下部連結ピン２４をロックし、さらにヒッチ部２の動力伝動ケース３７に作業機３の駆動入力軸４３が接続されるように構成する一方、防除用の作業機３のフレーム３８に防除用タンク３９と、駆動入力軸４３を有するポンプ４２を搭載すると共に、当該防除用タンク３９を平面視で前方に開放するコの字状に形成し、かつ防除用タンク中央部の下方部位を後方に切り欠いて、走行機体１の後部に連結されるトップリンク１１及びヒッチ部２の上部側が入り込む空間部に構成し、また、防除用タンク３９の下方となるヒッチ部２には、前記回動フックプレート２３に連結して作業機３の下部連結ピン２４のロックを解除する操作レバー２７を設け、以って、走行機体１の後部に防除用作業機３を、前記ヒッチ部２を介して着脱可能に装着することにより、機体後方に配設される防除用タンクの位置を低くして、防除用タンクの低重心化と機体の走行安定化を図り、しかも防除用作業機の脱着操作を、防除用タンクによって阻害されることなく容易に行うことができるようにしたことを特徴とするものである。
【０００６】
【発明の実施の形態】
次に本発明の実施の形態を図面に示された実施例に基いて詳細に説明する。まず図１は乗用管理機の走行機体１後方にヒッチ部２を介して防除用の作業機３を装着した状態の側面図、図２は同上平面図、図３は図１の一部拡大図である。
【０００７】
図中、４は走行機体１の運転座席、５は後輪、６は走行機体１に設けた油圧装置によって上下動するリフトアームであって、該リフトアーム６の先端にリフトアームピン７を介してリフトロッド８が連結され、リフトロッド８の下端側が走行機体１に設けた上下に揺動するロアリンク９に連結されている。また上記リフトロッド８はターンバックル状に形成されていて、ヒッチ部２を支持するロアリンク９の取付高さが調節自在となっている。
【０００８】
１０は走行機体１に固定したトップリンク支持ブラケットであって、該トップリンク支持ブラケット１０に連結したトップリンク１１の先端が、ヒッチ部２のトップマスト１２上端にトップリンク取付ピン１３を介して取付けられている。１４はトップマスト１２の背面側に取付けたトップフックであって、該トップフック１４によって作業機３のマスト部材１５に設けた上部連結ピン１６が係合支持されている。１７はトップマスト１２の左右連結板である。
【０００９】
１８はヒッチ部２の左右方向に配設されたフレームパイプであって、該フレームパイプ１８の左右中央に前記トップマスト１２が立設され、フレームパイプ１８の両端には、後方開放溝１９ａを形成した固定フックプレート１９が固定されている。２０は左右の固定フックプレート１９を連結する板状プレート、２１は連結パイプである。また固定フックプレート１９には、前記ロアリンク９の後端に連結支持されるロアリンク取付ピン２２が設けられている。
【００１０】
２３は固定フックプレート１９に設けた上下に回動自在の回動フックプレートであって、該回動フックプレート２３には下方開放溝２３ａが形成されている。そして固定フックプレート１９の後方開放溝１９ａに係合した作業機３側の下部連結ピン２４を、下方に回動した回動フックプレート２３の下方開放溝２３ａによってロックするロアフック２５が構成されている。２６は回動フックプレート２３の回動支点である。
【００１１】
２７は作業機３を着脱する際に使用する前後に回動自在の操作レバーであって、該操作レバー２７の基端側には円弧状のリンク２８が連結され、該リンク２８の先端が回動フックプレート２３の上端部に連結されていて、操作レバー２７を前方に回動させるのに連動して上方に回動した回動フックプレート２３が下部連結ピン２４のロックを解除するようになっている。２９は操作レバー２７とリンク２８との連結点ａに張設した操作レバー２７の戻しスプリングである。
【００１２】
また回動フックプレート２３とリンク２８との連結点ｂには下方に垂下するねじりスプリング３０が取付けてあって、回動フックプレート２３を上方に回動して下部連結ピン２４を固定フックプレート１９の後方開放溝１９ａから脱出させたときには、上記ねじりスプリング３０の遊端側が下方に設けた載置台３１上に当接して、回動フックプレート２３の下降を停止させた連結準備状態となり、この状態から固定フックプレート１９の後方開放溝１９ａに下部連結ピン２４を再び進入させると、下部連結ピン２４で押されたねじりスプリング３０が載置台３１から外れ、回動フックプレート２３が戻しスプリング２９の付勢により下方に回動して下部連結ピン２４を自動的にロックするようになっている。
【００１３】
そして上記操作レバー２７は、ヒッチ部２の左右両側に設けられており、これらが回動軸３２により互に連動連結されていて、いずれか一方の操作レバー２７の操作のみによって左右の回動フックプレート２３を同時に回動できるようになっている。３３は操作レバー２７の回動ストッパボルト、３４は固定ナットである。
【００１４】
３５はＰＴＯ軸３６に接続される動力伝達ジョイントであって、その後端部が板状プレート２０に設けた動力伝達ケース３７に連結されている。
３８は作業機３のフレームであって、該フレーム３８に防除用タンク３９を搭載するようになっており、またフレーム３８の前後位置には、走行機体１から離脱した作業機３を地面Ａに支持する前方スタンド４０と後方スタンド４１が支持高さ調節自在に装着されている。４２はフレーム３８の下面側に設けた薬剤散布用のポンプであって、該ポンプ４２の駆動入力軸４３が動力伝達ケース３７に接続自在となっている。４４は動力伝達用のクラッチ爪である。そしてフレーム３８には前記上部連結ピン１６を設けたマスト部材１５が固定されている。
【００１５】
上記防除用タンク３９は図２の平面図で示すように、前半側が運転座席４の両側に突出する平面視で前方に開放したコの字状に形成されている。そして防除用タンク３９の中央部には、下方部位を後方に切欠いた空間部４５が形成されていて、該空間部４５に、トップリンク１１およびトップフック１４を取付けたヒッチ部２上部側のトップマスト１２が入り込むようになっている。このため防除タンク３９は、上方に突出したトップマスト１２等と干渉することはなく、運転座席４後方の低い位置に配置することができる。
【００１６】
また４６は運転座席４の背面側に立設された安全フレームであって、該安全フレーム４６に作業機３の下降防止ブラケット４７が固定されており、該下降防止ブラケット４７に、ピン４８、ジョイント４９、ネジ付リンク５０を介してリンクプレート５１が連結されている。そして該リンクプレート５１をリフトアームピン７に取付けることにより、リフトアーム６が不用意に下動するのを阻止して作業機３を適正位置に保持するようになっている。
【００１７】
本発明は上記のように構成されているので、乗用管理機の走行機体１にヒッチ部２を介して防除用の作業機３を装着するに当たっては、走行機体１を後退させてヒッチ部２のトップフック１４を、作業機３側の上部連結ピン１６の位置に合わせ、ついで油圧装置によりリフトアーム６を上動させて作業機３を吊り上げる。このとき、操作レバー２７を上方に回動して回動フックプレート２３の下降を停止させた連結準備状態としておけば、作業機３を吊り上げるのに伴って、固定フックプレート１９の後方開放溝１９ａに下部連結ピン２４が係合して連結準備状態を解除し、回動フックプレート２３が下部連結ピン２４を自動的にロックするので、簡単に防除用の作業機３を装着することができる。
【００１８】
そして防除用タンク３９を前方に移動させてさせて図１で示す作業状態としたときには、平面視で前方に開放するコの字状に形成された防除用タンク３９は、その前半側が運転座席４の両側に突出し、しかもヒッチ部２の上部側が防除用タンク３９に形成した空間部４５に入り込むので、防除用タンク３９を運転座席４後方の低い位置に配置できて、防除用タンク３９の低重心化と機体の走行安定化を図ることができる。しかも空間部４５の中にはトップリンク１１およびトップフック１４を取付けたトップマスト１２のみが入り込むので、空間部４５を可及的に小さくすることができる。このため防除用タンク３９の底面が殊更複雑な形状にならないので、強度上の問題はなく、また薬剤の撹拌操作等に悪影響を及ぼすこともない。また操作レバー２７をヒッチ部２の左右外側に設けたので、防除用タンク３９の位置が低くても、防除用タンク３９によってレバー操作が阻害されることはなく、しかも機体のいずれの側からでも操作できるので、作業機３の着脱操作が容易となる。
【００１９】
図４〜図７は作業機３を離脱する過程を示している。すなわち図１の状態から防除用タンク３９を後方に移動させる。このとき操作レバー２７の操作により回動フックプレート２３を上方に回動させ、ねじりスプリング３０を下部連結ピン２４の上面に当接した状態としておく（図４）。この状態からヒッチ部２を次第に下降させてゆくと、まづ後方スタンド４１が接地する（図５）。ついで前方スタンド４０も接地してフレーム３８が傾斜状となったときには、下部連結ピン２４が固定フックプレート１９の後方開放溝１９ａから脱出する（図６）。そしてヒッチ部２がさらに下降すると上部連結ピン１６もトップフック１４から脱出して作業機３は完全に離脱状態となる（図７）。
【００２０】
【発明の効果】
これを要するに本発明は、ヒッチ部により簡単に防除用作業機を装着することができ、乗用管理機に防除用作業機を装着したときには、前方に開放するコの字状に形成した防除用タンクは、乗用管理機の運転座席等と干渉することなく機体後方に配設でき、しかも防除用タンクを切欠いた空間部に、トップリンク及びヒッチ部の上部側が入り込むので、防除用タンクの位置を低くして防除用タンクの低重心化と機体の走行安定化を図ることができる。
【００２１】
そして防除用作業機を脱着する際には、ヒッチ部外側に設けた作業機脱着用の操作レバーは、防除用タンクの位置が低くても、防除用タンクによってレバー操作が阻害されることはなく、しかも機体のいずれの側からでも操作できるので、防除用作業機の脱着を容易に行うことができるものである。
【図面の簡単な説明】
【図１】走行機体の後方に防除用作業機をヒッチ部によって装着した状態の側面図である。
【図２】同上平面図である。
【図３】図１の一部拡大図である。
【図４】防除用タンクを後方移動させた状態の側面図である。
【図５】後方スタンドを接地させた状態の側面図である。
【図６】前方スタンドも接地させた状態の側面図である。
【図７】防除用作業機を離脱した状態の側面図である。
【符号の説明】
２          ヒッチ部
３          防除用作業機
１１        トップリンク
１２        トップマスト
２７        操作レバー
３９        防除用タンク
４５        空間部
【図１】
0003673344.tif 000002
【図２】
0003673344.tif 000003
【図３】
0003673344.tif 000004
【図４】
0003673344.tif 000005
【図５】
0003673344.tif 000006
【図６】
0003673344.tif 000007
【図７】
0003673344.tif 000008